(57)【特許請求の範囲】
【請求項１】
天板を支持する左右の支持脚の後部間に後面板が取り付けられた机における後面板取付装置であって、
前記後面板取付装置は、前記支持脚に対して取付可能な受金具と、後面板に対して取付可能な支持金具とで構成され、前記受金具は前記支持金具を水平回動可能に支持しうる切欠部が形成された水平板と、この水平板に形成された前記切欠部の軸心を向く複数の係合溝とを備え、前記支持金具には前記切欠部に嵌挿する垂直軸と前記係合溝に係合する係合爪とが形成され、前記垂直軸の下端部を上方から切欠部に嵌挿して係合爪を係合溝に係合させることで垂直軸を中心とする後面板の水平回動を規制し、この支持金具を所定高さまで上昇させて前記係合爪の係合溝への係合状態を解除した状態において、前記垂直軸を前記切欠部に嵌挿したまま水平方向に回動した後降下させて、係合爪を他の係合溝に係合させることにより、少なくとも２段階以上に係合規制出来る係合手段が設けられていることを特徴とする机における後面板取付装置。
【請求項２】
前記係合爪と係合溝とが、互いに上下方向に嵌合、もしくは嵌合解除可能に設けられているとともに、前記係合爪と係合溝との嵌合時において、後面板の上端部が、支持脚上に載置される天板下面に当接されるようになっている請求項１に記載の机における後面板取付装置。
【発明の詳細な説明】
【０００１】
【発明の属する技術分野】
本発明は、天板を支持する左右の支持脚の後部間に後面板が取り付けられた机において、前記支持脚に対して前記後面板を取付けるための後面板取付装置に係わり、特に支持脚に対する後面板の取付角度の変更に対応しうる机における後面板取付装置に関する。
【０００２】
【従来の技術】
従来、例えば図１２、１３に示されるように、天板０１と、天板０１を支持する左右の支持脚０２、及び左右の支持脚０２、０２間に設けられる支持脚０３と、これら支持脚０２、０３間にそれぞれ天板０１の側辺部に沿うように設けられる後面板０４とからなる机において、コーナー角が９０度のコーナー部Ｃの下方に配設される支持脚０２、０３の後部に対して、後面板０４の左右の側端部を例えば図１３に示されるように取り付ける場合、後面板０４の端面０４ａを予め傾斜面に加工して支持脚０３の側面０３ａに当接させるとともに、コーナー角に対応して平面視略三角形状に形成された取付金具０５を介して、支持脚０３及び後面板０４の上端面にそれぞれビス０６を螺入することにより連結していた。
【０００３】
【発明が解決しようとする課題】
しかしながら、上述のような方法によると、例えば組立時において、支持脚０２、０３、及び後面板０４の上端面に対するビス０６の螺入位置に微妙な誤差が生じると、支持脚０２、０３に対して、後面板０４を所望の取付角度で正確に取り付けることが出来なかった。
【０００４】
また、コーナー角が１２０度、１８０度のコーナー部Ｃを有する種々の天板０１に対応して、支持脚０２、０３に対する後面板０４の取付角度を変更しようとする場合、端面０４ａが種々の傾斜角度に切断加工された後面板０４を複数用意したり、角度に対応した種々の形状の取付金具０５を用意する必要が生じるため、部品点数が増加し、製造コストが嵩むといった問題があった。
【０００５】
本発明は、このような問題点に着目してなされたもので、支持脚に対して後面板を所望の取付角度に正確に、かつ強固に取り付け出来るとともに、部品点数を増加させることなく、取付角度の変更を容易に行える机における後面板取付装置を提供することを目的とする。
【０００６】
【課題を解決するための手段】
上記課題を解決するために、本発明の机における後面板取付装置は、天板を支持する左右の支持脚の後部間に後面板が取り付けられた机における後面板取付装置であって、
前記後面板取付装置は、前記支持脚に対して取付可能な受金具と、後面板に対して取付可能な支持金具とで構成され、前記受金具は前記支持金具を水平回動可能に支持しうる切欠部が形成された水平板と、この水平板に形成された前記切欠部の軸心を向く複数の係合溝とを備え、前記支持金具には前記切欠部に嵌挿する垂直軸と前記係合溝に係合する係合爪とが形成され、前記垂直軸の下端部を上方から切欠部に嵌挿して係合爪を係合溝に係合させることで垂直軸を中心とする後面板の水平回動を規制し、この支持金具を所定高さまで上昇させて前記係合爪の係合溝への係合状態を解除した状態において、前記垂直軸を前記切欠部に嵌挿したまま水平方向に回動した後降下させて、係合爪を他の係合溝に係合させることにより、少なくとも２段階以上に係合規制出来る係合手段が設けられていることを特徴としている。
この特徴によれば、係合手段によって、後面板の支持脚に対する取付角度を容易に複数段にそれぞれ変更することが出来るばかりか、後面板や支持脚と別体の受金具と支持金具とを用いて後面板の回動を許容するようになっているため、回転可能でありながら連結部の強度を向上させることが出来る。
【０００９】
本発明の机における後面板取付装置は、前記係合爪と係合溝とが、互いに上下方向に嵌合、もしくは嵌合解除可能に設けられているとともに、前記係合爪と係合溝との嵌合時において、後面板の上端部が、支持脚上に載置される天板下面に当接されるようになっていることが好ましい。
このようにすれば、支持金具もしくは受金具に、係合爪が係合からの逸脱を規制する逸脱規制手段等を設けることなく、支持脚に強固に固定される天板を利用して確実に規制することが出来る。
【００１０】
【発明の実施の形態】
以下、本発明の実施例を図面に基づいて説明すると、まず図１には本発明実施例としての後面板取付装置１が示されており、２は後面板、３は図２に示される支持脚４の後部を構成するカバー部材、５は上下方向に延びるフレームをそれぞれ示している。本実施例における支持脚４は、カバー部材３、フレーム５、及びフレーム５の前端面５ａに取り付けられる後述する受金具と、図２に示されるようにこの受金具の後端に嵌合される骨材６、及び骨材６を介して取り付けられるパネル７とから構成されている。
【００１１】
後面板取付装置１は、後面板２に形成された凹部２ａ内に一部が入り込むように固着される支持金具８と、フレーム５の前端面５ａに固着される受金具９とから構成される。支持金具８は、図１、２に示されるように、後面板２の前面２ｂに取り付けるための取付片１０と、取付片１０の端部に上下方向を向くように取り付けられる回転支持手段としての垂直軸１１と、垂直軸１１の上端に取り付けられ、先端下方に、後述する係合溝に係合可能な係合手段を構成する係合爪１２ａが形成された係合片１２とからなり、取付片１０に形成された孔部内を挿通するビス１３を介して前面２ｂに固着出来るようになっている。
【００１２】
なお、図２、３に示されるように、係合爪１２ａは、後面板２の前面２ｂに対して平行に固着される取付片１０に対して直交方向を向くように形成されている。
【００１３】
受金具９は、水平板１４と、この水平板１４の下方に垂設される垂直板１５とから構成されており、垂直板１５の長手方向に貫通する貫通路１６内にボルト１７を挿通し、このボルト１７の先端部をフレーム５の前面５ａに形成されたネジ孔１８内に螺入することによりフレーム５に固定出来るようになっている。
【００１４】
水平板１４の左右側端部には、垂直軸１１の下端部を嵌挿させた状態で、支持金具８を水平回動可能に支持しうる切欠部１９、１９’が形成されている。また、水平板１４の一部には肉厚部１４ａが形成されており、この肉厚部１４ａの側部には、それぞれ係合片１２の係合爪１２ａと選択的に係合しうる係合溝２０ａ〜２０ｃ、２０ａ’〜２０ｃ’が、左右それぞれの切欠部１９、１９’の軸心を向くように形成されている。
【００１５】
次に本実施例における後面板取付装置１を用いた支持脚４への後面板２の取り付け方法を図１〜３に基づいて説明すると、まず支持脚４に対する後面板２の取付角度を９０度（θ＝９０度）として後面板２を取り付ける場合、支持金具８を後面板２に固着するとともに、受金具９をフレーム５にそれぞれ固着しておく。そして図１に示されるように、係合片１２の係合爪１２ａが係合溝２０ｃに係合するように、係合爪１２ａの向き、すなわち後面板２の向きを調整しながら支持部材８の垂直軸１１の下端部を上方から受金具９の切欠部１９内に嵌挿する。
【００１６】
ここで、垂直軸１１は所定長さを有しており、この垂直軸１１の切欠部１９内への嵌挿と同時に係合爪１２ａが係合溝２０ｃに係合されることがない。よって、垂直軸１１の一部を切欠部１９内に嵌挿した状態で後面板２の向きの調整を行えば、後面板２が垂直軸１１を中心とする水平回動のみ可能な状態に支持されているので、角度変更を容易に行うことが出来る。
【００１７】
さらに垂直軸１１を降下させ、係合爪１２ａと係合溝２０ｃとが係合された時点で、垂直軸１１を中心とする後面板２の水平回動が規制される。よって、このように受金具９と支持金具８とを所定角度にて連結させることで、後面板２を支持脚４に対して強固に固定することが出来るとともに、係合爪１２ａを複数の係合溝２０に選択的に係合させることで、複数段の取付角度に容易に取り付けることが出来る。なお、本実施例における受金具９にあっては、切欠部１９が水平板１４の左右両端側に形成されているため、図２に示されるように、受金具９の両側に後面板２、２を所定取付角度で取り付けることも出来る。
【００１８】
また、本実施例においては、特に図示しないが、係合爪１２ａと係合溝２０ｃとの係合状態において、支持脚４及び後面板２の上端面に天板２１を載置することで天板２１の下面に後面板２の上端部が当接されるようになっており、これにより係合爪１２ａと係合溝２０ｃとの係合の逸脱が防止されている。
【００１９】
さらに図３に示されるように、後面板２の支持脚４に対する取付角度を変更しようとする場合（θ＝４５度、３０度）、垂直軸１１の一部を切欠部１９内に嵌挿させたまま後面板２を介して支持金具８を所定高さまで上昇させ、係合爪１２ａと係合溝２０ｃとの係合を解除する。そして係合爪１２ａを所定方向に回転させ、再び支持金具８を下降させて係合溝２０ｂもしくは係合溝２０ａに係合させることで、支持脚４に対する後面板２の取付角度を容易に変更することが出来る。
【００２０】
よって、部品点数を増加することなく、係合爪１２ａを複数設けられたいずれかの係合溝２０ａ〜２０ｃに選択的に係合させるだけで、例えばコーナー部Ｃの角度の異なる天板２１に対応して、支持脚４に対する後面板２を所定の取付角度にて固定することが出来るとともに、係合の解除により取付角度を容易に変更することが出来る。
【００２１】
次に、本発明の第２実施例としての後面板取付装置を図４〜図１１に基づいて説明していくと、まず図４には本発明の第２実施例としての後面板取付装置３１が示されており、３２は後面板、３３は、机の天板を支持する支持脚３４の後部に左右方向に開口する凹部３５を形成するとともに、支持脚３４の側面を構成するパネル３７の端面を閉塞する骨材を示している。
【００２２】
後面板取付装置３１は、後面板３２に形成された凹部３２ａ内に一部が入り込むように固着される支持金具３８と、骨材３３の凹部３５内に固設される受金具３９とから構成される。支持金具３８は、特に図４、図５（ａ）に示されるように、支持金具３８を後面板３２の前面３２ｂに取り付けるためのビス３６挿通用の孔部４１を有する上下の取付片４０、４０’と、これら上下の取付片４０、４０’を連結するとともに、前面４２ａが、図５（ｂ）に示されるように、点Ｐを中心とする半径Ｒ２の円弧に沿うように形成された曲面状の当接片４２とから構成される。
【００２３】
当接片４２の前面４２ａにおける上下方向略中央部は、図５（ｂ）に示されるように前方に突設されており、この突設された前面４２ｂには、後述する受金具３９の係合片が選択的に係合可能な複数の係合溝４３ａ〜４３ｃが形成されている。なお、４５は受金具３９取付用のボルト４４の先端部が螺入可能な孔部であり、これらボルト４４と孔部４６は支持金具３８の後面板３２への取付時における支持金具３８の長手方向軸心周りの回転を規制する支持片である。
【００２４】
受金具３９は、図６（ａ）、（ｂ）に示されるように、当接片４２と同等の上下長さを有し、内面４７ａが支持金具３８の前面４２ａと同等の曲率を有する（半径Ｒ２＝Ｒ４）曲面状に形成された受片４７からなる。受片４７の上下部にはボルト４４が挿通可能な横長の長孔５１が形成されるとともに、これらボルト４４と長孔５１により回転支持手段が構成されている。また、上下方向の略中央位置には、支持金具３８の前面４２ｂと同等の曲率を有する（半径Ｒ１＝Ｒ３）曲面状の内面４７ｂが形成されており、この内面４７ｂ所定箇所には、係合溝４３ａ〜４３ｃ内に選択的に係合しうる係合片４８が内方に向かって突設されている。
【００２５】
さらに受片４７の側端部には、骨材３３の凹部３５内面所定箇所に形成された係止穴４９（図４、９参照）に上方からの係止が可能なフック部５０が形成されており、支持金具３９を凹部３５内に簡単に係止することが出来るようになっている。
【００２６】
次に、本実施例における後面板取付装置３１を用いた支持脚３４への後面板３２の取り付け方法を図面に基づいて説明すると、例えば支持脚３４に対する取付角度を９０度（θ＝９０度）として後面板３２を取り付ける場合、まず図４に示されるように支持金具３８を後面板３２の前面３２ｂにビス３６をもって固着する。そして図７に示されるように、係合片４８が係合溝４３ａ内に係合されるように、固着された支持金具３８の当接片４２に受金具３９を前方から装着する。係合と同時に、当接片４２の前面４２ａの一部と受片４７の内面４７ａの一部、及び前面４２ｂの一部と内面４７ｂの一部とがそれぞれ当接され、後面板３２が支持される。
【００２７】
この状態で受片４７の長穴５１にボルト４４を挿通して先端部を支持金具３８の孔部４５内に螺入することにより、受金具３９が支持金具３８に対して所定角度にて固定される。次いでフック部５０を、図４に示されるように凹部３５内の係止穴４９に挿入して係止させることにより、後面板３２を支持脚３４に対して所定の取付角度にて取り付けることが出来る（図８、９参照）。
【００２８】
また、支持脚３４に対する後面板３２の取付角度を変更する場合（θ＝４５度、３０度）、ボルト４４の先端を孔部４５から逸脱することなく、一部が孔部４５内に螺入された状態を保持しながらボルト４４を緩め、この状態で図７中２点鎖線で示されるように受金具９を移動させ、係合片１８を係合溝１３ｂ、もしくは１３ｃに係合させる。この時、受金具３９は長穴５１を介してボルト４４により水平方向への回動が支持されるため、容易に係合位置を変更することが出来る。
【００２９】
そして図１０、１１に示されるように、所望の取付角度にて受金具３９を支持金具３８に固定し、フック部５０を係止穴４９に係止させることにより、支持脚３４に対して後面板３２を所定角度で取り付けることが出来る。さらに、図１１に示されるように、後面板３２の取付が不要な側の凹部３５には、横断面略コ字状のカバー部材５２を嵌合させることにより、凹部３５が外部に露出することなく外観が向上する。
【００３０】
このように、係合片４８を係合溝４３に対して選択的に係合させることで、後面板３２の角度変更、及び所定角度における固定を容易に行うことが出来るとともに、これら係合片４８と係合溝４３との係合時において受金具３９と支持金具３８に設けられた曲面同士が当接されるため、固定強度が高まる。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
【発明の効果】
本発明は以下の効果を奏する。
【００３３】
（ａ）請求項１項の発明によれば、係合手段によって、後面板の支持脚に対する取付角度を容易に複数段にそれぞれ変更することが出来るばかりか、後面板や支持脚と別体の受金具と支持金具とを用いて後面板の回動を許容するようになっているため、回転可能でありながら連結部の強度を向上させることが出来る。
【００３６】
（ｂ）請求項２項の発明によれば、支持金具もしくは受金具に、係合爪が係合からの逸脱を規制する逸脱規制手段等を設けることなく、支持脚に強固に固定される天板を利用して確実に規制することが出来る。
【００３７】
【図面の簡単な説明】
【図１】本発明の第１実施例としての後面板取付装置の取付状態を示す斜視図である。
【図２】図１の後面板取付装置の作用を示す平面図である。
【図３】同じく図１の後面板取付装置の作用を示す平面図である。
【図４】本発明の第２実施例としての後面板取付装置の取付状態を示す斜視図である。
【図５】（ａ）は支持金具を示す正面図であり、（ｂ）は（ａ）のＡ−Ａ断面図である。
【図６】（ａ）は受金具を示す正面図であり、（ｂ）は（ａ）のＢ−Ｂ断面図である。
【図７】支持金具と受金具との係合状態を示す断面図である。
【図８】支持脚と後面板との取付状態を示す断面図である。
【図９】図８のＣ−Ｃ断面図である。
【図１０】同じく支持脚と後面板との取付状態を示す断面図である。
【図１１】同じく支持脚と後面板との取付状態を示す断面図である。
【図１２】従来の支持脚と後面板との取付方法が適用された机を示す斜視図である。
【図１３】図１１の要部断面図である。
【符号の説明】
１            後面板取付装置
２            後面板
２ａ          凹部
２ｂ          前面
３            カバー部材
４            支持脚
５            フレーム
５ａ          前端面
６            骨材
７            パネル
８            支持金具
９            受金具
１０            取付片
１１            垂直軸（回転支持手段）
１２            係合片
１２ａ          係合爪（凸部）
１３            ビス
１４            水平板
１５            垂直板
１６            貫通路
１７            ボルト
１８            ネジ孔
１９、１９’    切欠部（回転支持手段）
２０ａ〜２０ｃ  係合溝（凹部）
３１            後面板取付装置
３２            後面板
３２ａ          凹部
３２ｂ          前面
３３            骨材
３４            支持脚
３５            凹部
３５ａ          側板
３６            ビス
３７            パネル
３８            支持金具
３９            受金具
４０、４０’    取付片
４１            孔部
４２            当接片
４２ａ、４２ｂ  前面
４３ａ〜４３ｃ  係合溝（凹部）
４４            ボルト（回転支持手段）
４５            孔部
４６            支持片
４７            受片
４７ａ、４７ｂ  内面
４８            係合片（凸部）
４９            係止穴
５０            フック部
５１            長穴（回転支持手段）
５２            カバー部材
【図１】
0004076641.tif 000002
【図２】
0004076641.tif 000003
【図３】
0004076641.tif 000004
【図４】
0004076641.tif 000005
【図５】
0004076641.tif 000006
【図６】
0004076641.tif 000007
【図７】
0004076641.tif 000008
【図８】
0004076641.tif 000009
【図９】
0004076641.tif 000010
【図１０】
0004076641.tif 000011
【図１１】
0004076641.tif 000012
【図１２】
0004076641.tif 000013
【図１３】
0004076641.tif 000014